(57)【要約】      （修正有）【課題】名刺サイズの紙等のカードを用いて作成した場合であっても、携帯端末を支えることができる【解決手段】名刺サイズの紙等を用いて作成した場合であっても、携帯端末を支えることができるカードであって、組み立てた際に、前側に位置する前側横辺の中央点１ａを頂点とする三角形状面を、底面５０、右側側面５１、左側側面５２の構成面として各々有し、底面５０が、右側縦辺と左側縦辺とを組み合わせて構成したものであり、組み立てた際に、右側側面５１と左側側面５２との境界部である中央山折線５を横断して開口部８が形成され、該開口部８によって携帯端末を保持する。【選択図】図４
2015039504.tif 000002
【特許請求の範囲】
【請求項１】
０．１５〜０．３３ミリメートルの厚みと、８７〜９３ミリメートルの前側横辺及び後側横辺と、４８〜５７ミリメートルの右側縦辺及び左側縦辺とで構成する四角形状のカード体によるスタンド変形カードであり、下記の特徴を備える。
折線となる線状部分と切目線となる線状部分とを有し、これらの線状部分に基づいて組み立てることで、携帯端末を保持するスタンドに変形する。
前側横辺の中央点から後側横辺の中央点に向けて、中央山折線を有する。
前側横辺の中央点から後側横辺と右側縦辺との接続点に向けて、右側山折線を有する。
前側横辺の中央点から後側横辺と左側縦辺との接続点に向けて、左側山折線を有する。
組み立てた際に、前側横辺の中央点を頂点とする三角形状の面を、底面、右側側面、左側側面の構成面として各々有する。
組み立てた際に、右側側面と左側側面との境界部である中央山折線を横断して開口部が形成されている。
該開口部は、組み立ての際に、中央切目線、右側面切目線、右前切目線、左側面切目線、左前切目線による線状部分を切り離すと共に、右側谷折線、左側谷折線に沿って右側切離片、左側切離片を折り曲げることで形成されている。
右側面切目線は、右側山折線に対して平行に、中央切目線と同じ長さで形成されたものであり、右側山折線との間に２〜７ミリメートルの距離を有するものである。
左側面切目線は、左側山折線に対して平行に、中央切目線と同じ長さで形成されたものであり、左側山折線との間に２〜７ミリメートルの距離を有するものである。
組み立てた際の三角形状の底面が、右側山折線と右側縦辺と中央点より右側の前側横辺とで形成された三角形状部分と、左側山折線と左側縦辺と中央点より左側の前側横辺とで形成された三角形状部分とを重ね合わせて構成したものであり、前側横辺の中央点を基準とした前側横辺の少なくとも一方の半辺が、右側山折線または左側山折線部分に接触して位置が固定されるように構成されている。
組み立てた際の三角形状の右側側面が、中央山折線と右側山折線と後側横辺の中央点より右側の半片とで構成されている。
組み立てた際の三角形状の左側側面が、中央山折線と左側山折線と後側横辺の中央点より左側の半片とで構成されている。
【請求項２】
右側縦辺または左側縦辺の一部に、組み立ての際に三角状の切目線に沿って三角片を除くことで三角状の切欠部が形成されるように三角切目線が形成され、
組み立てた際に底面となる三角形状部分に、右側山折線または左側山折線に平行な平行切目線が形成され、
縦切目線が、前側横辺の端部から縦方向に形成され、
該縦切目線は、組み立ての際に切り離すことで、右側縦片または左側縦片と前側横辺とで構成される差込片を構成するものとなり、平行切目線に差し込むことができように形成されていることを特徴とする、請求項１に記載のスタンド変形カード。
【請求項３】
右側山折線または左側山折線上を起点として、右側縦片または左側縦片の方向に向けて、前側横辺に平行に沿って横切目線が形成され、
該横切目線は、組み立ての際に、前側横辺の中央点側と縦切目線で切り離される部分とで構成される第２差込片が、差し込み可能に形成されていることを特徴とする、請求項２に記載のスタンド変形カード。
【発明の詳細な説明】
【技術分野】
【０００１】
本発明は、切目線や折線に沿って変形させると、携帯端末のスタンドになるスタンド変形カードに関する。
【背景技術】
【０００２】
携帯端末のスタンドとして、例えば、特許文献１に示すものが知られている。
該特許文献１には、横から見たときに「コ」の字状になるよう一枚の紙を２回折り、「コ」の字の上下面にそれぞれ設けられた非直線状の切り込みによって、上下面の紙の一部を上方へ折り返してそれぞれタブを形成し、上下面のタブどうしが重なり、かつ、下面から出るタブが上面の切り込み部分に挿入されることによって上下面のずれ防止部分を形成し、重なりあったタブと傾斜した上面によって携帯端末の着座部３２を構成するものが記載されている。
また、名刺サイズのカードを変形させてスタンドとするものとして、例えば、特許文献２に示すものが知られている。
該特許文献２には、平面の名刺を折線に従って折ることで、企業のキャラクターやマーク、商品の形状、カレンダーなどを部分的に立ち上げ、立体的に見せる、変形名刺が記載されている。
【発明の概要】
【発明が解決しようとする課題】
【０００３】
特許文献１に記載のスタンドは、名刺サイズの紙等を用いて作成した場合に、携帯端末を支えることが困難であった。
また、特許文献２に記載の変形名刺は、立体的に見せるためのものであり、携帯端末を支えることを意図したものではなかった。
従って、名刺サイズの紙等のカードを用いて作成した場合であっても、携帯端末を支えることができるものが望まれていた。
【課題を解決するための手段】
【０００４】
本発明の課題を解決するための手段は、下記のとおりである。
【０００５】
第１に、０．１５〜０．３３ミリメートル望ましくは０．２３ミリメートルの厚みと、８７〜９３ミリメートル望ましは９１ミリメートルの前側横辺及び後側横辺と、４８〜５７ミリメートル望ましくは５５ミリメートルの右側縦辺及び左側縦辺とで構成する四角形状のカード体によるスタンド変形カードであり、下記の特徴を備える。
なお、前側横辺と後側横辺は、本発明に係るスタンド変形カードを携帯端末のスタンドとしてする際に、画面の確認ができる正面側に位置することになる横辺を、各部の名称を付与する便宜上、前側横辺として定義するものであり、構造的な特徴で区別されるものではない。
坪量１５０〜２２０ｇの紙素材で形成されている。
折線となる線状部分と切目線となる線状部分とを有し、これらの線状部分に基づいて組み立てることで、携帯端末を保持するスタンドに変形する。
前側横辺の中央点から後側横辺の中央点に向けて、中央山折線を有する。
前側横辺の中央点から後側横辺と右側縦辺との接続点に向けて、右側山折線を有する。
前側横辺の中央点から後側横辺と左側縦辺との接続点に向けて、左側山折線を有する。
組み立てた際に、前側横辺の中央点を頂点とする三角形状の面を、底面、右側側面、左側側面の構成面として各々有する。
組み立てた際に、右側側面と左側側面との境界部である中央山折線を横断して開口部が形成されている。
該開口部は、組み立ての際に、中央切目線、右側面切目線、右前切目線、左側面切目線、左前切目線による線状部分を切り離すと共に、右側谷折線、左側谷折線に沿って右側切離片、左側切離片を折り曲げることで形成されている。
ここで、中央切目線は、中央山折線上に位置し、後側横辺の中央点から７〜１３ミリメートル望ましくは１０ミリメートルの位置を起点として、携帯端末の厚みを考慮して、例えば１０ミリメートル程度の長さのものが形成されている。
右側面切目線は、右側山折線に対して平行に、中央切目線と同じ長さで形成されたものであり、右側山折線との間に２〜７ミリメートル望ましくは５ミリメートルの距離を有するものである。
左側面切目線は、左側山折線に対して平行に、中央切目線と同じ長さで形成されたものであり、左側山折線との間に２〜７ミリメートル望ましくは５ミリメートルの距離を有するものである。
右側切離片及び左側切離片は、組み立てた際に携帯端末の背面側を支えるものである。
組み立てた際の三角形状の底面が、右側山折線と右側縦辺と中央点より右側の前側横辺とで形成された三角形状部分と、左側山折線と左側縦辺と中央点より左側の前側横辺とで形成された三角形状部分とを重ね合わせて構成したものであり、前側横辺の中央点を基準とした前側横辺の少なくとも一方の半辺が、右側山折線または左側山折線部分に接触して位置が固定されるように構成されている。
組み立てた際の三角形状の右側側面が、中央山折線と右側山折線と後側横辺の中央点より右側の半片とで構成されている。
組み立てた際の三角形状の左側側面が、中央山折線と左側山折線と後側横辺の中央点より左側の半片とで構成されている。
【０００６】
第２に、上記第１に記載のスタンド変形カードに、さらに次の特徴を有するものである。
右側縦辺または左側縦辺の一部に、組み立ての際に三角状の切目線に沿って三角片を除くことで三角状の切欠部が形成されるように三角切目線が形成されている。
組み立てた際に底面となる三角形状部分に、右側山折線または左側山折線に平行な平行切目線が形成されている。
縦切目線が、前側横辺の端部から縦方向に形成されている。
該縦切目線は、組み立ての際に切り離すことで、右側縦片または左側縦片と前側横辺とで構成される差込片を構成するものとなり、平行切目線に差し込むことができように形成されている。
組み立ての際に、平行切目線に差込片を差し込み、三角切目線による三角状の切欠部を平行切目線の端部に組み合わせることで固定される。
【０００７】
第３に、上記第２に記載のスタンド変形カードに、さらに次の特徴を有するものである。
右側山折線または左側山折線上を起点として、右側縦片または左側縦片の方向に向けて、前側横辺に平行に沿って横切目線が形成されている。
該横切目線は、組み立ての際に、前側横辺の中央点側と縦切目線で切り離される部分とで構成される第２差込片が、差し込み可能に形成されている。
【発明の効果】
【０００８】
本発明によれば、以下の効果が得られる。
坪量１５０〜２１０ｇ程度、横８１〜９１ミリメートル程度、縦５０〜５５ミリメートル程度の名刺サイズの紙を用いた場合であっても、所定の位置に形成された折線と切目線を組み合わせて、前側横辺の中央を頂点とする三角形状面を構成面とする最小サイズのスタンドを組み立てることで、必要最低限のスペースで携帯端末を支えることができる。
ここで、名刺サイズの紙状物を三角状に織り込む際に、折り込み部が外側に戻ろうとする力を利用して、三角切目線による三角状の切欠部を平行切目線の端部に組み合わせることで、強固に固定され、全体が安定したものとなる。
最小サイズで携帯端末を支えることができるので、省スペースグッズとしてアピールできる。
会社名、氏名、住所、電話等を印刷することで、名刺として機能し、気軽に配布できるので、販促グッズとして適している。
坪量１５０〜２１０ｇ程度の紙を素材とすることで、携帯端末に傷がつく恐れが少なくなるし、廃棄処分も容易にできる。
名刺として持ち歩くことができるので、携帯性に富み、スタンド用途の必要性が急に生じた場合であっても対応できる。
携帯端末をカメラとして利用する場合に、三脚の代わりに使用できる。
タブレット型の携帯端末に対しても、複数個を使用すれば対応できる。
【図面の簡単な説明】
【０００９】
【図１】本発明に係るスタンド変形カードの正面図である。
【図２】本発明に係るスタンド変形カードの背面図である。
【図３】本発明に係るスタンド変形カードについて組み立て状態で裏側から見た状態を示す底面図である。
【図４】本発明に係るスタンド変形カードについて組み立て状態で、携帯端末を保持する様子を示す斜視図である。
【発明を実施するための形態】
【００１０】
以下、本発明を実施するための形態を、図面を参照しつつさらに具体的に説明する。
なお、ここでの説明は本発明が実施される一形態であることから、本発明は該当形態に限定されるものではない。
【００１１】
本実施形態におけるスタンド変形カードは、日本において一般的に用いられる坪量１７５ｇで厚さ０．２３ミリメートル、横９１ミリメートルの前側横辺１及び後側横辺３、縦５５ミリメートルの右側縦辺２及び左側縦辺４を有する四角形状のカード体による名刺サイズの紙を用いて実施した。
【００１２】
該スタンド変形カードは、折線となる線状部分と切目線となる線状部分とを有し、これらの線状部分に基づいて組み立てることで、携帯端末を保持するスタンドに変形するものである。
【００１３】
なお、下記の説明において、「切目線」とは、スタンドに変形する前のカード体の際には、切り離されている状態ではなく、変形の際に切り離しができるように加工された部分のことを示している。
【００１４】
ここで、折線や切目線は、印刷による他に、溝加工やミシン目加工によって施すこともできる。印刷で示した場合には、組み立ての際に、折線に沿って折り曲げたり、切目線に沿って切り込み加工することもできる。
【００１５】
前側横辺１の中央点１ａから後側横辺３の中央点３ａに向けて、中央山折線５が形成されている。
【００１６】
前側横辺１の中央点１ａから後側横辺３と右側縦辺２との接続点に向けて、右側山折線６が形成されている。
【００１７】
前側横辺１の中央点１ａから後側横辺３と左側縦辺４との接続点に向けて、左側山折線７が形成されている。
【００１８】
組み立てた際に、図４に示すように、前側横辺の中央点１ａを頂点とする三角形状の面を、底面５０、右側側面５１、左側側面５２の構成面として各々有する。
【００１９】
組み立てた際に、右側側面５１と左側側面５２との境界部である中央山折線５を横断して山型の開口部８が形成されている。
【００２０】
該開口部８は、組み立ての際に、長さ１０ミリメートルの中央切目線８１、長さ１０ミリメートルの右側面切目線８２、長さ１７ミリメートルの右前切目線８３、長さ１０ミリメートルの左側面切目線８４、長さ１７ミリメートルの左前切目線８５による線状部分を切り離すと共に、長さ２３ミリメートルの右側谷折線８６、長さ２３ミリメートルの左側谷折線８７に沿って右側切離片８８、左側切離片８９を折り曲げることで形成されている。
【００２１】
ここで、中央切目線８１は、中央山折線５上に位置し、後側横辺３の中央点３aから１０ミリメートルの位置を起点として、携帯端末の厚みを考慮して、例えば１０ミリメートル程度の長さのものが形成されている。
【００２２】
右側面切目線８２は、右側山折線６に対して平行に、中央切目線８１と同じ長さで形成されたものであり、右側山折線６との間に５ミリメートルの距離を有するものである。
【００２３】
左側面切目線８４は、左側山折線７に対して平行に、中央切目線８１と同じ長さで形成されたものであり、左側山折線７との間に５ミリメートルの距離を有するものである。
【００２４】
右側切離片８８及び左側切離片８９は、組み立てた際に携帯端末の背面側を支えるものである。
【００２５】
組み立てた際に三角形状となる底面は、右側山折線６と右側縦辺２と中央点１ａより右側の前側横辺１とで形成された三角形状部分と、左側山折線７と左側縦辺４と中央点１aより左側の前側横辺１とで形成された三角形状部分とを重ね合わせて構成したものである。
【００２６】
ここで、組み立てた際に、前側横辺１の中央点１ａを基準とした前側横辺１の右側の半辺が左側山折線７の部分に接触すると共に、左側の半辺が右側山折線６の部分に接触することによって、スタンドとしての強度を向上させることができる。
【００２７】
組み立てた際の三角形状の右側側面５１は、中央山折線５と右側山折線６と後側横辺３の中央点３ａより右側の半片とで構成されている。
【００２８】
組み立てた際の三角形状の左側側面５２は、中央山折線５と左側山折線７と後側横辺３の中央点３ａより左側の半片とで構成されている。
【００２９】
右側縦辺２の一部には、組み立ての際に三角状の切目線に沿って三角片２１を除くことで三角状の切欠部が形成されるように三角切目線２２が形成されている。
該三角切目線２２は、前側横片１との接続点から１６ミリメートルの位置を基点として、水平方向に３ミリメートルの水平切目線と、該水平切目線端部から右側縦辺２と後側横辺３との接触点から３５ミリメートルの位置に向けて斜めに形成された傾斜切目とからなるものである。
【００３０】
組み立てた際に底面５０となる三角形状部分には、左側山折線７に平行な長さ２５ミリメートルの平行切目線７１が形成されている。
該平行切目線７１の前側横辺１側の端部は、前側横辺１から５ミリメートル離れ、他端側は、左側縦辺４から５ミリメートル離れている。
【００３１】
前側横辺１の端部から縦方向に、長さ１６ミリメートルの縦切目線７２が形成されている。
該縦切目線７２は、右側縦辺２との接続点から２２ミリメートル離れた位置に形成されている。
【００３２】
該縦切目線７２は、組み立ての際に切り離すことで、右側縦片２と前側横辺１とで構成される差込片９を構成するものとなり、該差込片９を平行切目線７１に差し込むことができように形成されている。
【００３３】
組み立ての際に、平行切目線７１に差込片９を差し込み、三角切目線２２による三角状の切欠部を平行切目線７１の端部に組み合わせることで、両者が固定されることになる。
【００３４】
左側山折線７上を起点として、左側縦片４の方向に向けて、前側横辺１に平行に、長さ１６ミリメートルの横切目線７３が形成されている。
該横切目線７３は、前側横辺１から１０ミリメートル離れた位置に形成されている。
【００３５】
該横切目線７３は、組み立ての際に、前側横辺１の中央点１ａ側と縦切目線７２で切り離される部分とで構成される第２差込片１０が、差し込み可能に形成されている。
【００３６】
図１中、符号３１は、前側横辺１と右側縦辺２とで構成される角を、組み立ての際に切り落とすための長さ３ミリメートルの角落切目線であり、符号３２は、前側横辺１と縦切目線７２とで構成される角を、組み立ての際に切り落とすための長さ３ミリメートルの角落切目線である。
該角落切目線３１，３２を、組み立ての際に切り落とすことで、差し込みを容易なものとすることができる。
【００３７】
図２に示す背面側の白紙部分には、図示は省略するが、会社名、氏名、住所、電話等を印刷することで、名刺として機能する。
【００３８】
組み立ての際は、各切目線の場所を切り離し、折線の部分を折り曲げる。
そして、差込片９を平行切目線７１によって切り離された部分に差し入れると共に、第２差込片１０を横切目線７３によって切り離された部分に差し入れる。
すると、差込片９の先端側の前側横辺１部分が、左側山折線７の部分に接触する共に、第２差込片１０の先端側の前側横辺１部分も左側山折線７の部分に接触する。
同時に、前側横辺１の中央点１ａより左側の部分は、右側山折線６の部分に接触する。
このように構成することで、中央点１ａを頂点とする強固な三角推状体が形成される。
【００３９】
そして、図３に示すように、三角切目線２２を切り離すことで形成された三角状の切欠部分を、平行切目線７１による切り込みの端部と組み合わせることで、差込片９と切り込み部分とが固定される。
【００４０】
このように組み立てることで、底面５０として三角形状面を構成する。
同時に、中央山折線５より右側の三角部分で三角形状面が構成されて、右側側面５１となり、左側の三角部分で三角形状面が構成されて、左側側面５２となる。
その結果、前側に位置する前側横辺１の中心点１ａを頂点とする三角形状面が、底面５０、右側側面５１、左側側面５２の構成面として形成される。
【００４１】
使用の際には、図４に示すように、携帯端末を開口部８に差し入れる。
すると、垂直方向の荷重が、右側側面５１及び左側側面５２の底面５０側から５ミリメートルの高さに位置する右側側面切目線８２及び左側側面切目線８４の部分で支えられる。
同時に、携帯端末の背面側が、右側切離片８８及び左側切離片８９とで支えられるので、安定して携帯端末を立たせた状態で保持することもできる。
【００４２】
本発明のスタンド変形カードは、三角形状面が、底面、右側側面、左側側面の構成面として形成されており、しかも、全体が底面、右側側面、左側側面からなる三角錐状をしているので、名刺サイズの紙で構成した場合であっても、携帯端末のスタンドとして十分機能する強度を有する。
【符号の説明】
【００４３】
１  前側横辺
１ａ  中央点
２  右側縦辺
３  後側横辺
３ａ  中央点
４  左側縦辺
５  中央山折線
６  右側山折線
７  左側山折線
８  開口部
９  差込片
１０  第２差込片
２１  三角片
２２  三角切目線
３１  角落切目線
３２  角落切目線
５０  底面
５１  右側側面
５２  左側側面
７１  平行切目線
７２  縦切目線
７３  横切目線
８１  中央切目線
８２  右側面切目線
８３  右前切目線
８４  左側面切目線
８５  左前切目線
８６  右側谷折線
８７  左側谷折線
８８  右側切離片
８９  左側切離片
【先行技術文献】
【特許文献】
【００４４】
【特許文献１】実用新案登録第３１７４６８７号
【特許文献２】意匠登録第１２２１４０７号
【図１】
2015039504.tif 000003
【図２】
2015039504.tif 000004
【図３】
2015039504.tif 000005
【図４】
2015039504.tif 000006